(57)【要約】【課題】着用の度に巻き直す必要がなく、容易に着脱可能で、外見上はバンダナ・スカ−フ・三角巾・手拭き・タオル・タ−バン・鉢巻等の布を頭部に巻いて結んでいる、又は巻き付けている様に見える布巻き冠り物を提供する。【解決手段】冠り物の表面に布を巻いて設ける。又、前記布に結び目を設けても良い。前記冠り物と前記布に留具を設けることにより、取り外し可能となる【選択図】図２
2006291430.tif 000002
【特許請求の範囲】
【請求項１】
冠り物の表面に布を巻いて設けたことを特徴とする布巻き冠り物。
【請求項２】
前記布に、結び目を設けたことを特徴とする請求項１記載の布巻き冠り物。
【請求項３】
前記冠り物と前記布に留具を設け、取り外し可能としたことを特徴とする請求項１又は請求項２記載の布巻き冠り物。
【請求項４】
前記布に代わり、紙を巻いて設けたことを特徴とする請求項１、２又は３記載の布巻き冠り物。
【発明の詳細な説明】
【発明の詳細な説明】
【技術分野】
【０００１】本発明は外見上は、バンダナ・スカ−フ・三角巾・手拭き・タオル・タ−バン・鉢巻等の布を、頭部に巻いて結んでいる、又は巻き付けている様に見える冠り物に関する。
【背景技術】
【０００２】従来の技術としては、バンダナ・スカ−フ・三角巾・手拭き・タオル・タ−バン・鉢巻等の布を頭部に着用する際、周知の通り直接頭部を包み込む様に巻き付けて端を挟み込んだり、前頭部から側頭部に沿って布を巻き、後頭部側で両端を結ぶ等して固定することが多かった。
【発明が解決しようとする課題】
【０００３】しかしながら、以上の従来技術によれば、着用の度に布を頭部に巻き直す必要があり、手間と時間がかかった。又、巻き方によってはフィット感がなく、着用中にずれたり、外れたりすることもあった。バンダナ・スカ−フ・三角巾・手拭き・タオル・タ−バン・鉢巻等は、仕事の制服の一部としてや、祭事等でも着用する事が多々あり、激しい動作で長時間に渡り安定した状態で着用出来、何度でも容易に着脱可能なものが望ましい。
【０００４】又、子供の生活の中でも色々な場面で使用されているが、子供にとっては着用の際、自ら巻き付けたり結ぶことは大変困難であり保護者等に頼らざるを得ない。又、動き回る子供に着用させるのには労力を要する。
【０００５】そこでこの発明は、着用の度に巻き直す必要がなく、子供であっても容易に着脱可能で、外見上は恰もバンダナ・スカ−フ・三角巾・手拭き・タオル・タ−バン鉢巻等の布を巻いて結んでいる、又は巻き付けている様に見える冠り物を提供することを課題とする。
【課題を解決するための手段】
【０００６】以上の課題を解決する為に、請求項１の発明は、冠り物の表面に布を巻いて設けたことを特徴とする布巻き冠り物である。又、請求項２の発明は、冠り物に布を巻いて設け、この布に、結び目を設けたことを特徴とする布巻き冠り物である。又請求項３の発明は、冠り物に布を巻いて設け、この冠り物と布に留具を設け、取り外し可能としたことを特徴とする請求項１又は、請求項２記載の布巻き冠り物である。又、請求項４の発明は、前記布の代わりに紙を巻いて設けたことを特徴とする請求項１、２又は３記載の布巻き冠り物である。
【発明を実施するための最良の形態】
【０００７】本発明に於いて、頭部に着用する目的を持つ物はすべて冠り物に属する、と定義する。以下本発明の第一の実施形態を図１に示す。裁断された布４ａ・４ｂを帽子の形状になるよう縫製し、帽子２を形成する。帽子２の裾部３の全体に伸縮性を有するゴム等を設ける。尚、ゴム等は冠り物本体１が、頭部から容易にずれることなく、着脱が自在になる目的を果たすものであれば裾部３の全体に限らず、一部であっても良い。又、帽子２の素材自体が伸縮性を有するものや、使用目的上伸縮性を必要としない場合は、敢えて設ける必要はない。
帽子２の表面側の裾部３に三角形の形状をした布５の底辺部６を縫製する。図２で示すように、布５で帽子を包む様に巻き、両端の結部７ａ・７ｂを帽子２の後頭部側で結び、先端部８を結び目９の下方に入れ込む。尚、好みにより先端部８を結び目９に覆い被せても良い。【０００８】帽子２の裁断・形成方法は本実施形態に限ったものではなく、出来上がりが帽子の形状をしていれば良い。【０００９】又、前記布５には、四角形の布を対角線で二つ折りにし三角形にしても、予め三角形に裁断された布を使用しても、どちらでも良い。尚、三角形に裁断された布を使用することによって使用量を軽減し、安価で作成することが可能である。尚、本実施形態では三角形の形状を例として挙げたが、様々な変形例が考えられる。【００１０】次に本発明の第二の実施形態を図３に示す。伸縮性を有する環状のヘア−バンド１０の表面側に、長方形に裁断・縫製された布１１を縫製する。鉢巻を頭部に巻くように、布１１の結部１２ａ・１２ｂをヘア−バンド１０の後方で結ぶ。【００１１】次に本発明の第三の実施形態を図４に示す。合成樹脂等からなる弾力性を有するア−チ状のヘア−バンド１３に、三角形の形状をした布１４の底辺部を巻き付けスナップ等の留具で留めたものである。このことにより、布１４が取り外し可能となる。尚、留具を設ける以外に縫製により固定しても良い。又図示はしないが、布１４を図４より大きくすることによって結部１８ａ・１８ｂに長さが生じ、結ぶことが可能となる。【００１２】「他の実施形態」
図５は帽子２に布５を設ける手段として縫製ではなく、スナップ１５を留具として設けたものである。帽子２の裾部３に凹、布５の底辺部に凸のスナップ１５を所望の箇所に設け、帽子２から布５を取り外し可能とした。尚、スナップ１５を例としたがマジックテ−プ・チャック・ボタン等の留具を設けることにより、取り外しが可能となるものであれば良い。自在に取り外せることによって、洗濯やアイロン掛けが容易となる。又、帽子２のみでも、布５・１１・１４のみでも、各々単体で着用可能である。ヘア−バンド１０・１３の場合も同様である。又、その日の気分により布５・１１・１４のデザインを選択し、着せ替えを楽しむことが可能である。【００１３】図示はしないが、紙製の帽子２に、三角形の形状をした紙を布５の代わりに縫製しても良い。又、取り外しが可能となるよう、留具としてスナップや両面テ−プを所望の箇所に設けても良い。このことにより、汗等で汚れた場合等、汚れた方を新品と交換することも可能である。尚、帽子２のみや布５のみを紙にすることも可能で、帽子のみを紙にした場合、両面テ−プ等を設けることにより、個人が所持しているバンダナやスカ−フ等の布を貼り付けて設け、活用することも出来る。【００１４】本実施形態に於いての帽子２と布５・１１・１４等の素材は、吸水性や通気性の高く、アイロン掛けのことを考慮して、皺になりにくいものが望ましい。特に、飲食店の厨房や踊りの衣装等で着用し汗をかく場合等は、帽子２をタオルやガ−ゼ等の素材にすると、布５に汗が滲むことも少なく、外見上も衛生的である。【００１５】又、結び目９を設ける例を挙げたが、祭事等で手拭きを頭部に巻くように、端を挟み込むように設けても良い。【００１６】布５・１１・１４だけではなく、帽子２やヘア−バンド１０・１３にも色・柄等を施すことによってデザイン性が高まる。又、リバ−シブルにすることによって活用の幅が広がる。【００１７】図示はしないが、帽子２やヘア−バンド１０・１３につば１６を設けても良い。【００１８】図６は、つば付の帽子２の裾部３に設けてあった布５を下方へ垂らした使用方法の例を示したものである。布を巻いている帽子２の後頭部側の内側に折り返してあったつば１６を表側に出し、後ろ前に着用する。帽子２を包むように巻いてあった布５を結び目９を残し解き、下方へ垂らした状態で使用する。又図示はしないが、つば付の帽子２の裾部に留具を設け、結び目が後頭部側にくるよう巻いてあった布５を、一度帽子２から外し、結び目９を解いて広げ、予め設けてあった留具により再度帽子２の下方へ垂らすように取り付ける。この使用方法により、首部等を紫外線等の有害な光線や、雨・雪等から守ることが出来る。屋外観戦や釣り等、長時間外気に晒される場合特に有効である。尚、この場合布５は紫外線防止加工を施しているものが望ましい。【００１９】本発明は、人の頭部に着用するに限らず、ペット等の動物に着用させたり、乗り物の座席のヘッド・ティッシュケ−ス等、物に被せて使用する等様々な使用方法が可能である。【００２０】動物の耳や子供の結った頭髪等を、冠り物本体１の外部へ出せるよう、又布５等に冷却シ−ト等を設けた場合、その部分が直に肌に触れるよう、帽子２や布５・１１・１４に開口部１７を設けても良い。帽子２の後頭部側に開口部１７を設けた例を図７に示す。【００２１】以上本発明を述べてきたが、本発明は実施形態のみに限定されるものではなく、その使用目的から逸脱しない範囲で、他の色々な変形例が実施可能である。尚、冠り物本体１のサイズ・形成材料・結び目や留具・開口部の位置等も、使用目的に応じ適宜に選定することが可能である。
【発明の効果】
【００２２】以上説明したように本発明によれば、冠り物の表面に布を巻いて設けたことにより外見上は、バンダナ・スカ−フ・三角巾・手拭き・タオル・タ−バン・鉢巻等の布を巻いて結んでいる又は巻き付けている様に見え、着用の度に巻き直す必要がなく、何度でも容易に着脱可能である。
【００２３】又、冠り物と布に留具を設けることにより、取り外し可能となり、洗濯やアイロン掛けが容易で、各々単体で着用可能となり、着せ替えも楽しめる。
【図面の簡単な説明】
【図１】第一の実施形態に係る布巻き冠り物の分解背面図である。
【図２】第一の実施形態に係る布巻き冠り物の側面図である。
【図３】第二の実施形態に係る布巻き冠り物の斜視図である。
【図４】第三の実施形態に係る布巻き冠り物の斜視図である。
【図５】本実施形態に係る布巻き冠り物に留具を設けた状態の分解図で、布の背面図と帽子の正面図である。
【図６】本実施形態に係る布巻き冠り物の布を下方へ垂らした状態の側面図である。
【図７】本実施形態に係る帽子の後頭部側に開口部を設けた状態の斜視図である。
【符号の説明】
１、冠り物本体                        １０、環状のヘア−バンド
２、帽子                              １１、布
３、裾部                              １２ａ、結部
４ａ、布                              １２ｂ、結部
４ｂ、布                              １３、ア−チ状のヘア−バンド
５、布                                １４、布
６、底辺部                            １５、スナップ
７ａ、結部                            １６、つば
７ｂ、結部                            １７、開口部
８、先端部                            １８ａ、結部
９、結び目                            １８ｂ、結部
【図１】
2006291430.tif 000003
【図２】
2006291430.tif 000004
【図３】
2006291430.tif 000005
【図４】
2006291430.tif 000006
【図５】
2006291430.tif 000007
【図６】
2006291430.tif 000008
【図７】
2006291430.tif 000009